(57)【要約】      （修正有）【課題】腐食の発生を抑制し耐久性を向上させた看板装置を提供する。【解決手段】看板装置１００は、箱状の看板本体１０と、看板本体１０の内部に侵入した水を吸い上げる吸水部材と、を備える。【選択図】図１
2019152797.tif 000002
【特許請求の範囲】
【請求項１】
看板装置であって、
箱状の看板本体と、
前記看板本体の内部に侵入した液体を吸い上げる吸水部材と、を備えることを特徴とする看板装置。
【請求項２】
前記看板本体の内部に侵入した液体を貯留する貯留部をさらに備え、
前記吸水部材は、前記貯留部に貯留された液体を吸い上げることを特徴とする請求項１に記載の看板装置。
【請求項３】
前記看板本体の底部は、前記看板本体の内外を遮断する底板により閉塞されることを特徴とする請求項１または２に記載の看板装置。
【請求項４】
前記吸水部材には、鉛直方向の下端部に切込みが形成されることを特徴とする請求項１から３のいずれか一つに記載の看板装置。
【発明の詳細な説明】
【技術分野】
【０００１】
本発明は、看板装置に関するものである。
【背景技術】
【０００２】
特許文献１には、固定枠体と、表示パネルを取り付けてある開閉枠体と、背面パネルと、を備える看板装置であって、固定枠体に排水溝が設けられるものが開示されている。
【先行技術文献】
【特許文献】
【０００３】
【特許文献１】特開２００５−２０６２０３号公報
【発明の概要】
【発明が解決しようとする課題】
【０００４】
例えば屋外に設置される看板装置では、内部への雨水の侵入などにより腐食が発生することがある。腐食の発生は耐久性低下の原因となるため、看板装置には、腐食の発生を効果的に抑制することが求められている。
【０００５】
本発明は、上記の問題点に鑑みてなされたものであり、腐食の発生を抑制し耐久性を向上させた看板装置を提供することを目的とする。
【課題を解決するための手段】
【０００６】
本発明は、看板装置であって、箱状の看板本体と、看板本体の内部に侵入した液体を吸い上げる吸水部材と、を備えることを特徴とする。
【発明の効果】
【０００７】
本発明によれば、看板本体の内部に侵入した液体は、吸水部材により吸い上げられる。吸水部材に吸い上げられた液体は、看板本体の内部で気化する。よって、看板本体の底部に液体が貯留することが抑制され、腐食の発生が抑制される。したがって、看板装置の耐久性が向上する。
【図面の簡単な説明】
【０００８】
【図１】本発明の実施形態に係る看板装置の斜視図である。
【図２】本発明の実施形態に係る中央の吸水ユニットを示す拡大正面図である。
【図３】図２におけるＩＩＩ−ＩＩＩ線断面図である。
【図４】本発明の実施形態に係る側方の吸水ユニットを示す拡大断面図である。
【図５】本発明の第１変形例に係る看板装置を示す拡大断面図である。
【図６】本発明の第２変形例に係る看板装置を示す拡大断面図である。
【発明を実施するための形態】
【０００９】
以下、添付図面を参照しながら本発明の実施形態に係る看板装置１００について説明する。
【００１０】
図１に示すように、看板装置１００は、箱状の看板本体１０と、看板本体１０の内部に設けられる吸水ユニット２０と、看板本体１０の内部に設けられる光源５０と、看板本体１０を地面（設置面）に対して支持する支柱６０と、を備える。
【００１１】
看板本体１０は、情報を表示する表示部としての正面板１１と、正面板１１に対向する背面板１２と、正面板１１及び背面板１２に対して水平方向に並んで設けられ両者を接続する一対の側板１３，１４と、正面板１１、背面板１２、一対の側板１３，１４によって形成される鉛直方向の開口を閉塞する天板１５及び底板１６と、を有する直方体形状の箱体である。
【００１２】
底板１６は、看板本体１０の内外を常時連通するような孔（具体的には、後述する排水孔）が形成されない一様な板である。支柱６０は、底板１６に接続されて、看板本体１０を支持する。
【００１３】
吸水ユニット２０は、図２から図４に示すように、看板本体１０の内部に侵入した水（液体）を吸い上げる吸水部材３０と、吸水部材３０を保持する保持具４０と、を有する。
【００１４】
本実施形態では、図１に示すように、３つの吸水ユニット２０が看板本体１０の内部に設けられる。吸水ユニット２０の１つは、正面板１１と背面板１２の間の中央、かつ、一対の側板１３，１４間の中央（底板１６の中心）に取り付けられる（以下、これを「中央の吸水ユニット２０ａ」とも称する。）。残りの２つの吸水ユニット２０は、それぞれ看板本体１０の側板１３，１４に取り付けられる（以下、これらを「側方の吸水ユニット２０ｂ，２０ｃ」とも称する。）。吸水ユニット２０の配置は、これに限らず、任意とすることができる。また、看板本体１０の内部に設けられる吸水ユニット２０の数は、３つに限らず、１つ又は２つ、あるいは４つ以上であってもよい。なお、吸水ユニット２０は、看板本体１０の内部に設けられる光源５０の光を遮らないように配置されることが望ましい。
【００１５】
吸水部材３０は、布、紙、合成樹脂製の多孔質材などで形成され、水などの液体を吸い上げる。吸水部材３０は、矩形の平板状に形成され、図２に示すように、鉛直方向の下端部３１には複数の切込み３０ａが形成される。これにより、吸水部材３０は、切込み３０ａによって短冊状に形成される下端部３１と、切込み３０ａが形成されない平板状の本体部３５と、に分けられる。吸水部材３０の下端部３１は、看板本体１０の底板１６に接触する。なお、図２では、一部の切込み３０ａにのみ符号を付し、その他は省略する。
【００１６】
保持具４０は、図２から図４に示すように、吸水部材３０を厚さ方向に挟む一対の挟持具４１と、一対の挟持具４１及びこれに挟まれる吸水部材３０を一体化する複数のボルト４５及びナット４６と、を有する。
【００１７】
それぞれの吸水ユニット２０において、一対の挟持具４１は、互いに同一形状に形成される。中央の吸水ユニット２０ａにおける挟持具４１は、図２に示すように、吸水部材３０の本体部３５を露出させる窓４１ａを有する枠部４２と、枠部４２から延びる一対の脚部４２ａ，４２ｂと、を有する。一対の脚部４２ａ，４２ｂが看板本体１０の底板１６に取り付けられる。下端部３１は、一対の脚部４２ａ，４２ｂと底板１６とで形成される開口によって露出している。脚部４２ａ，４２ｂは、吸水部材３０の下端部３１が看板本体１０の底板１６に接触するような長さに形成される。
【００１８】
中央の吸水ユニット２０ａでは、図３に示すように、ボルト４５が一対の挟持具４１及び吸水部材３０を挿通し、ナット４６に螺合する。これにより、吸水部材３０は、挟持具４１と一体化されて保持される。
【００１９】
側方の吸水ユニット２０ｂ，２０ｃでは、図４に示すように、挟持具４１に脚部４２ａ，４２ｂが設けられず、挟持具４１が枠部４２のみによって構成される。側方の吸水ユニット２０ｂ，２０ｃは、それぞれボルト４５が挟持具４１及び吸水部材３０に加えて側板１３，１４を挿通しナット４６によって締結されることで、側板１３，１４に取り付けられる。なお、各吸水ユニット２０の保持具４０の形状は上記のものに限られず、他の形状であってもよい。なお、図３及び図４における破線は、吸水部材３０における本体部３５と下端部３１の境界、及び、図３においては挟持具４１における枠部４２と脚部４２ａとの境界を模式的に示すものである。また、側方の吸水ユニット２０ｂ，２０ｃは、互いに同様の構成であるため、側方の吸水ユニット２０ｃについては、詳細な図示を省略する。
【００２０】
次に、看板装置１００の作用について説明する。
【００２１】
例えば、屋外に設置される看板装置は、風雨の影響等により、看板本体の内部に水が侵入し、そのまま看板本体の内部、具体的には底板上に貯留することがある。看板本体の内部に水が貯留すると、一般に金属製の看板本体に腐食が発生しやすくなり、看板装置の耐久性が低下するおそれがある。
【００２２】
これに対し、本実施形態に係る看板装置１００では、看板本体１０の内部に吸水部材３０が設けられる。看板本体１０の内部の水は、底板１６に接触する吸水部材３０の下端部３１から吸収され、毛細管現象により本体部３５まで吸い上げられる。本体部３５に含まれる水は、気化して大気中に拡散される。このようにして、看板本体１０の底部に貯留する水が吸水部材３０によって大気中へ拡散され、看板本体１０の底部から除去される。したがって、看板本体１０の内部での水の貯留が抑制され、腐食の発生が抑制される。これにより、看板装置１００の耐久性が向上し、製品寿命や安全性が向上する。
【００２３】
また、看板本体１０の内部は、光源５０による熱により、比較的温まりやすい。このため、吸水部材３０に含まれる水の気化が促され、看板本体１０の底部に貯留する水が効率的に除去される。
【００２４】
また、吸水部材３０により看板内部の水を除去できるため、看板本体１０の底板１６には排水用の孔（排水孔）を形成しなくてもよい。本実施形態では、看板本体１０の底部は、排水孔が形成されず看板本体１０の内外を遮断する底板１６により閉塞されている。このように、底板１６に排水孔が形成されないため、内部の光源５０の光が排水孔を通じて外部に漏れることがなく、看板装置１００の視認性を向上させることができる。
【００２５】
なお、これに限らず、底板１６には、排水孔が形成されてもよい。看板本体１０の内部に吸水部材３０を有する吸水ユニット２０を設ける本実施形態の構成は、底板１６に排水孔が形成される既存の看板装置１００に対しても有用である。底板１６に排水孔が形成される場合には、看板本体１０の内部の水は、吸水部材３０による水の除去に加え、排水孔を通じて外部に排出される。このため、看板本体１０の内部の水がより効果的に除去される。また、看板本体１０の内部に、水などの液体に加えてダストなどの異物が侵入し、異物が排水孔を塞ぐおそれがある。これに対し、吸水部材３０による水の除去と排水孔を通じた排水との２つの排水手段を併用することにより、排水孔が塞がれた場合でも水を除去でき、安定的かつ効率的に看板本体１０の内部の水を除去することができる。
【００２６】
また、吸水部材３０の下端部３１は、切込み３０ａによって短冊状に形成される。これにより、切込み３０ａが形成されない場合と比較して、看板本体１０の内部に貯留した水と下端部３１との接触面積が増加するため、吸水部材３０によって水をより効果的に吸い上げることができる。なお、吸水部材３０は、任意の形状とすることができる。吸水部材３０は、切込み３０ａが形成されないものでもよい。
【００２７】
次に、本実施形態の変形例について説明する。
【００２８】
上記実施形態では、看板本体１０の底部は、底板１６により閉塞され、看板本体１０に侵入した水は、水平方向に延びる平板状の底板１６上に貯留する。これに対し、図５に示すように、看板装置１００は、看板本体１０の内部に侵入した水を集めて貯留する貯留部７０をさらに備えていてもよい。以下、図５に示す変形例について、具体的に説明する。
【００２９】
図５に示すように、貯留部７０は、看板本体１０の底板１６上に設けられる平板状の基部７１と、それぞれ基部７１から正面板１１、背面板１２、及び側板１３，１４に向けて鉛直方向の上方に延び、水平面に対して傾斜する４つの傾斜部７２と、を有する。基部７１は、看板本体１０の底板１６の中心上に設けられる。正面板１１及び背面板１２と基部７１とを接続する傾斜部７２は、図示を省略する。このような貯留部７０により、貯留空間Ｓが形成される。貯留空間Ｓは、水平方向に沿った断面積（鉛直方向に垂直な断面積）が鉛直方向の上方に向かうにつれ大きくなる凹状に形成される。看板本体１０の内部に侵入した水は、傾斜部７２により底板１６の中心にある基部７１に向けて集められ、貯留空間Ｓに貯留される。吸水ユニット２０は、集められた水が貯留される基部７１上に設けられる。以上のような変形例によれば、看板本体１０の内部に侵入した水が集まる部位に吸水部材３０が設けられるため、水の吸い上げ及び除去を効率的に行うことができる。なお、この変形例においては、図５に示すように、水平に延びる底板１６とは別に貯留部７０が設けられてもよいし、図示は省略するが底板１６そのものを貯留部として形成してもよい。また、貯留部の構成は、上記のものに限らず、特定の位置に水を集めて貯留するものであれば、任意の構成（形状）とすることができる。
【００３０】
また、看板本体１０の天板１５、正面板１１、背面板１２、及び一対の側板１３，１４に、看板本体１０の内外を連通する貫通孔を設けてもよい。図６に示す変形例では、側板１３に貫通孔１３ａが設けられる。貫通孔１３ａは、１つでもよいし、複数が設けられてもよい。これによれば、貫通孔１３ａを通じて看板本体１０の内部が換気され、吸水部材３０から気化した水分を含む空気を看板本体１０の外部に排出することができる。よって、吸水部材３０が吸い上げた水分が気化しやすくなり、看板本体１０の内部の水の除去を効率よく行うことができる。なお、上記貫通孔１３ａを設ける場合には、貫通孔１３ａを通じて看板本体１０の内部に水が侵入しないよう、カバー１９（図６参照）を設けることが望ましい。カバー１９は、例えば、図６に示すように、貫通孔１３ａを覆うと共に、貫通孔１３ａよりも鉛直方向の下方において開口を有する。
【００３１】
以上の実施形態によれば、以下に示す効果を奏する。
【００３２】
本実施形態に係る看板装置１００では、看板本体１０の内部の水は、底板１６に接触する吸水部材３０の下端部３１から吸収され、毛細管現象により本体部３５まで吸い上げられる。本体部３５に含まれる水は、気化して大気中に拡散される。したがって、看板本体１０の内部での水の貯留が抑制され、腐食の発生が抑制される。これにより、看板装置１００の耐久性が向上し、製品寿命や安全性が向上する。
【００３３】
また、吸水部材３０により看板本体１０の内部の水を除去できるため、看板本体１０の底板１６には排水孔を形成しなくてもよい。よって、内部の光源５０の光が孔を通じて外部に漏れることがなく、看板装置１００の視認性を向上させることができる。
【００３４】
看板本体１０の底板１６に排水孔を形成する場合には、吸水部材３０による水の除去に加え、排水孔を通じて看板本体１０の内部の水を外部に排出できる。吸水部材３０による水の除去と排水孔を通じた排水との２つの排水手段を併用することにより、排水孔が異物により塞がれた場合でも水を除去でき、安定的かつ効率的に看板本体１０の内部の水を除去することができる。
【００３５】
また、吸水部材３０の下端部３１が、切込み３０ａによって短冊状に形成されことにより、切込み３０ａが形成されない場合と比較して、看板本体１０の内部に貯留した水と下端部３１との接触面積が増加する。これにより、吸水部材３０によって水をより効果的に吸い上げることができる。
【００３６】
以下、本発明の実施形態の構成、作用、及び効果をまとめて説明する。
【００３７】
看板装置１００は、箱状の看板本体１０と、看板本体１０の内部に侵入した水を吸い上げる吸水部材３０と、を備える。
【００３８】
この構成では、看板本体１０の内部に侵入した水は、吸水部材３０により吸い上げられる。吸水部材３０に吸い上げられた水は、看板本体１０の内部で気化する。よって、看板本体１０の底部に水が貯留することが抑制され、腐食の発生が抑制される。したがって、看板装置１００の耐久性が向上する。
【００３９】
また、看板装置１００は、看板本体１０の内部に侵入した水を貯留する貯留部７０をさらに備え、吸水部材３０は、貯留部７０に貯留された水を吸い上げる。
【００４０】
この構成では、看板本体１０の内部に侵入した水が集められるため、吸水部材３０によって効率よく水の除去を行うことができる。
【００４１】
また、看板装置１００では、看板本体１０の底部は、看板の内外を遮断する底板１６により閉塞される。
【００４２】
この構成では、看板本体１０の底板１６に排水孔が形成されないため、排水孔を通じた内部の光源５０の光の漏れが防止される。よって、看板装置１００の視認性が向上する。
【００４３】
また、看板装置１００では、吸水部材３０には、鉛直方向の下端部３１に切込み３０ａが形成される。
【００４４】
この構成では、吸水部材３０の下端部３１が看板本体１０の内部に侵入した水に接触する接触面積が増加するため、効率よく水を吸い上げることができる。
【００４５】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００４６】
１０      看板本体
１６      底板
３０      吸水部材
３０ａ    切込み
３１      下端部
７０      貯留部
１００    看板装置
【図１】
2019152797.tif 000003
【図２】
2019152797.tif 000004
【図３】
2019152797.tif 000005
【図４】
2019152797.tif 000006
【図５】
2019152797.tif 000007
【図６】
2019152797.tif 000008